(57)【特許請求の範囲】
【請求項１】
音波を用いて制御される電子機器であって、
前記音波を収音する収音部と、
所定の条件を満たす所定の音波が第１の回数入力されると、複数の機能がオンしている第１のモードへ移行させ、前記所定の音波が前記第１の回数よりも少ない第２の回数入力されると、前記複数の機能のうちの一部の機能がオンし残りの一部の機能がオフしている第２のモードへ移行させるよう前記電子機器を制御する制御部と、
を備えることを特徴とする電子機器。
【請求項２】
音波を用いて制御される電子機器であって、
前記音波を収音する収音部と、
前記電子機器に第１の動作を行わせるための第１の回数よりも少ない第２の回数の前記音波が入力されると、前記第１の動作の事前段階である第２の動作を行わせるよう前記電子機器を制御する制御部と、
を備え、
前記制御部は、複数かつ前記第１の回数未満の回数入力された前記音波のうち、連続して入力された音波間の時間間隔を求め、
前記時間間隔に基づいて、前記第１の回数の音波が入力される第１の時刻を算出し、
予め定めた前記第２の動作の完了に要する時間に基づく前記第２の動作が完了する第２の時刻が前記第１の時刻と一致するよう前記第２の動作の処理速度を可変することを特徴とする電子機器。
【請求項３】
音波を用いて制御される電子機器であって、
前記音波を収音する収音部と、
前記電子機器に第１の動作を行わせるための第１の回数よりも少ない第２の回数の前記音波が入力されると、前記第１の動作の事前段階である第２の動作を行わせるよう前記電子機器を制御する制御部と、
を備え、
前記制御部は、過去における前記第２の回数の前記音波が入力された時刻から前記第１の回数の音波が入力された時刻までの時間間隔を予め求めておき、
前記時間間隔に基づいて、前記第１の回数の音波が入力される第１の時刻を算出し、
予め定めた前記第２の動作の完了に要する時間に基づく前記第２の動作が完了する第２の時刻が前記第１の時刻と一致するよう前記第２の動作の処理速度を可変することを特徴とする電子機器。
【請求項４】
音波を用いて制御される電子機器であって、
前記音波を収音する収音部と、
前記電子機器に第１の動作を行わせるための第１の回数よりも少ない第２の回数の前記音波が入力されると、前記第１の動作の事前段階である第２の動作を行わせるよう前記電子機器を制御する制御部と、
を備え、
前記制御部は、複数かつ前記第１の回数未満の回数入力された前記音波のうち、連続して入力された音波間の時間間隔を求め、
前記時間間隔に基づいて、次回の音波が入力される第３の時刻を算出し、
前記第３の時刻に基づく所定時間内に前記次回の音波が入力されないと、前記第２の動作の事前段階である第３の動作に戻すように前記電子機器を制御することを特徴とする電子機器。
【請求項５】
前記制御部は、任意の音波が入力されてから所定時間を経過しても次回の音波が入力されないと、前記第２の動作の事前段階である第３の動作に戻すように前記電子機器を制御することを特徴とする請求項２から４のいずれか１項に記載の電子機器。
【請求項６】
前記電子機器は、
映像信号を受信する番組受信部と、
前記映像信号に基づいた画像を表示する表示部とを更に備え、
前記制御部は、
前記第２の回数の音波が入力されると前記番組受信部が前記映像信号を受信するよう制御し、前記第１の回数の音波が入力されると前記表示部に前記画像を表示させることを特徴とする請求項２から５のいずれか１項に記載の電子機器。
【請求項７】
音波を用いて電子機器を制御する制御方法であって、
所定の条件を満たす所定の音波が第１の回数入力されると、複数の機能がオンしている第１のモードへ移行させ、前記所定の音波が前記第１の回数よりも少ない第２の回数入力されると、前記複数の機能のうちの一部の機能がオンし残りの一部の機能がオフしている第２のモードへ移行させるよう前記電子機器を制御することを特徴とする制御方法。
【発明の詳細な説明】
【技術分野】
【０００１】
本発明は、音波を用いて制御される電子機器およびその制御方法に関する。
【背景技術】
【０００２】
デジタル放送の放送開始に伴い、デジタル放送波を受信してユーザに番組を視聴させるテレビジョン受像機が普及している。かかるデジタル放送波を受信するテレビジョン受像機（以下、単にデジタルテレビと称する）は、一般的に、別体のリモートコントローラ（以下、単にリモコンと称する）が装備されており、ユーザは、リモコンを介して、電源のオン／オフや選局等の操作を行う。
【０００３】
しかし、リモコンがユーザの近くにない場合、ユーザはデジタルテレビを視聴するためにリモコンのある場所まで移動しなければならない。したがって、リモコンとの距離によってはデジタルテレビ本体までの距離以上の移動を要し、例えば電源のオンのみ行いたいといった操作量の大小に拘わらずユーザに煩わしさを感じさせてしまうおそれがあった。また、リモコンは比較的小型であるため、どこに置いてあるか分からなくなる場合があり、この場合ユーザがリモコンを探さなければ操作ができないといった状況も起こり得る。
【０００４】
そこで、リモコンのような遠隔操作装置を使わずに音を通じて電子機器を操作する技術が開示されている（例えば、特許文献１）。
【０００５】
一方、上述したデジタルテレビは、デジタル放送波に同期し安定したデジタル信号を受信したり、受信したデジタル信号を同期再生したり、誤り訂正の処理をしたり、復号処理をしたりする等デジタル放送波を表示部に表示させるための前処理に時間を要するため、アナログ放送波を受信するテレビジョン受像機と比較して、電源をオンしてから表示部に画像が表示されるまでの時間が長くなってしまう。
【０００６】
そこで、ユーザがリモコンに接触したことを検知するセンサを設け、ユーザがリモコンに触れた瞬間、これを検知して、全回路ブロックに電力を供給し、まずアナログ放送波を視聴可能に処理した画像を表示部に表示させ、その後ユーザがリモコンを介してアナログ放送からデジタル放送に切換えた場合にデジタル放送波を視聴可能に処理した画像を表示部に表示させる技術が開示されている（例えば、特許文献２）。
【０００７】
特許文献２に記載された技術によれば、ユーザがリモコンに触れた時点で、全回路ブロックに電力を供給し、デジタル放送波を処理する回路ブロックを予め起動しているので、その後、ユーザがアナログ放送からデジタル放送に切換えても、直ちにデジタル信号を処理した画像を表示部に表示させることができる。
【先行技術文献】
【特許文献】
【０００８】
【特許文献１】特開２００８−８４２９４号公報
【特許文献２】特開２００６−２０３２９３号公報
【発明の概要】
【発明が解決しようとする課題】
【０００９】
しかし、上述した特許文献２に記載の技術は、全回路ブロックに電力を供給する契機（トリガ）を生じさせるために、ユーザがリモコンに接触したことを検知するためのタッチセンサ等の装置を別途設置しなければならず、部品点数や処理負荷が増加してしまう。
【００１０】
本発明は、このような課題に鑑み、音波を用いて制御される電子機器において、音波が発生してから制御が実行されるまでにかかる時間を短縮できる電子機器およびその制御方法を提供することを目的としている。
【課題を解決するための手段】
【００１１】
上記課題を解決するために、本発明の音波を用いて制御される電子機器は、音波を収音する収音部と、所定の条件を満たす所定の音波が第１の回数入力されると、複数の機能がオンしている第１のモードへ移行させ、所定の音波が第１の回数よりも少ない第２の回数入力されると、複数の機能のうちの一部の機能がオンし残りの一部の機能がオフしている第２のモードへ移行させるよう電子機器を制御する制御部と、を備える。
【００１４】
上記課題を解決するために、本発明の音波を用いて制御される他の電子機器は、音波を収音する収音部と、電子機器に第１の動作を行わせるための第１の回数よりも少ない第２の回数の音波が入力されると、第１の動作の事前段階である第２の動作を行わせるよう電子機器を制御する制御部とを備え、制御部は、複数かつ第１の回数未満の回数入力された音波のうち、連続して入力された音波間の時間間隔を求め、時間間隔に基づいて、第１の回数の音波が入力される第１の時刻を算出し、予め定めた第２の動作の完了に要する時間に基づく第２の動作が完了する第２の時刻が第１の時刻と一致するよう第２の動作の処理速度を可変する。
【００１６】
上記課題を解決するために、本発明の音波を用いて制御される他の電子機器は、音波を収音する収音部と、電子機器に第１の動作を行わせるための第１の回数よりも少ない第２の回数の音波が入力されると、第１の動作の事前段階である第２の動作を行わせるよう電子機器を制御する制御部とを備え、制御部は、過去における第２の回数の音波が入力された時刻から第１の回数の音波が入力された時刻までの時間間隔を予め求めておき、時間間隔に基づいて、第１の回数の音波が入力される第１の時刻を算出し、予め定めた第２の動作の完了に要する時間に基づく第２の動作が完了する第２の時刻が第１の時刻と一致するよう第２の動作の処理速度を可変する。
【００１８】
上記課題を解決するために、本発明の音波を用いて制御される他の電子機器は、音波を収音する収音部と、電子機器に第１の動作を行わせるための第１の回数よりも少ない第２の回数の音波が入力されると、第１の動作の事前段階である第２の動作を行わせるよう電子機器を制御する制御部とを備え、制御部は、複数かつ第１の回数未満の回数入力された音波のうち、連続して入力された音波間の時間間隔を求め、時間間隔に基づいて、次回の音波が入力される第３の時刻を算出し、第３の時刻に基づく所定時間内に次回の音波が入力されないと、第２の動作の事前段階である第３の動作に戻すように電子機器を制御する。
【００２０】
制御部は、任意の音波が入力されてから所定時間を経過しても次回の音波が入力されないと、第２の動作の事前段階である第３の動作に戻すように電子機器を制御してもよい。
【００２３】
電子機器は、映像信号を受信する番組受信部と、映像信号に基づいた画像を表示する表示部と、を更に備え、制御部は、第２の回数の音波が入力されると番組受信部が映像信号を受信するよう制御し、第１の回数の音波が入力されると表示部に画像を表示させてもよい。
【００２５】
上記課題を解決するために、本発明の音波を用いて電子機器を制御する制御方法は、所定の条件を満たす所定の音波が第１の回数入力されると、複数の機能がオンしている第１のモードへ移行させ、所定の音波が第１の回数よりも少ない第２の回数入力されると、複数の機能のうちの一部の機能がオンし残りの一部の機能がオフしている第２のモードへ移行させるよう電子機器を制御する。
【００２６】
上述した電子機器の技術的思想に基づく構成要素やその説明は、当該制御方法にも適用可能である。
【発明の効果】
【００２７】
以上説明したように本発明は、音波を用いて制御される電子機器において、音波が発生してから制御が実行されるまでにかかる時間を短縮できる。
【図面の簡単な説明】
【００２８】
【図１】第１の実施形態にかかる電子機器の使用形態図である。
【図２】第１の実施形態にかかる電子機器の概略的な構成を示した機能ブロック図である。
【図３】拍手音を説明するための説明図である。
【図４】第１の実施形態にかかる入力音信号処理部の概略的な構成を示した機能ブロック図である。
【図５】第１の実施形態にかかる電子機器の動作モードを説明するための説明図である。
【図６】第１の実施形態にかかる動作モードの状態遷移にかかる移行時間を説明するための説明図である。
【図７】第１の実施形態にかかるモード切換制御部の処理を説明するための説明図である。
【図８】モード切換制御部の処理を説明するための説明図である。
【図９】モード切換制御部の処理を説明するための説明図である。
【図１０】第１の実施形態にかかる電子機器を制御する制御方法の具体的な処理を示したフローチャートである。
【図１１】第２の実施形態にかかる電子機器の概略的な構成を示した機能ブロック図である。
【図１２】第２の実施形態にかかる電力調整部の処理を説明するための説明図である。
【図１３】第３の実施形態にかかる電子機器の概略的な構成を示した機能ブロック図である。
【発明を実施するための形態】
【００２９】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００３０】
（第１の実施形態：電子機器１００）
図１は、第１の実施形態にかかる電子機器１００の使用形態図であり、図２は、第１の実施形態にかかる電子機器１００の概略的な構成を示した機能ブロック図である。本実施形態において、電子機器１００は、テレビジョン受像機を例に挙げて説明するが、ＤＶＤ（Digital Versatile Disc）プレイヤ／レコーダ、ＢＤ（Blu-ray Disc）プレイヤ／レコーダ、音楽プレイヤ／レコーダ、カーナビゲーション装置、パーソナルコンピュータ、ゲーム機器、携帯電話、ＰＨＳ（Personal Handy phone System）、ＰＤＡ（Personal Digital Assistant）、ビデオカメラ、デジタルカメラ等、表示部を有する、または、表示部に映像を出力可能な様々な電子機器を用いることができる。
【００３１】
図１に示すように、本実施形態において、ユーザ１０２は、リモコンを利用せずとも、拍手音等の所定の音波を複数回連続して発生させるという行為を実行するだけで、例えば、受信したデジタル放送波の画像出力および音出力のオン／オフやメニュー機能を遂行するためのＧＵＩ（Graphical User Interface）の表示／選択等の電子機器１００の様々な機能を遠隔から操作することができる。
【００３２】
図２に示すように、電子機器１００は、制御部としての中央制御部１１０と、装置メモリ１１２と、番組受信部１１４と、表示部１１６と、Ｄ／Ａコンバータ１１８と、出力アンプ１２０と、音声出力部１２２と、収音部１２４と、入力アンプ１２６と、Ａ／Ｄコンバータ１２８とを含んで構成される。図２中、実線で示す矢印は映像信号や音信号等の本質的な信号を示し、破線で示す矢印は制御信号を示す。
【００３３】
中央制御部１１０は、中央処理装置（ＣＰＵ）や信号処理装置（ＤＳＰ：Digital Signal Processor）を含む半導体集積回路で構成され、所定のプログラムを用いて電子機器１００全体を管理および制御する。
【００３４】
装置メモリ１１２は、ＲＡＭ、フラッシュメモリ、ＨＤＤ（Hard disk drive）等で構成され、中央制御部１１０で用いられるプログラムやその他のデータを保持する。なお、ＨＤＤは正確には装置であるが、説明の便宜上本説明では記録媒体と同義として扱う。
【００３５】
番組受信部１１４は、後述するモード切換制御部１５６の制御指令に従って、放送局の送信アンテナ１０６から送信されるデジタル放送波（トランスポートストリーム）を、アンテナ１０４を介して受信する。また、本実施形態において、番組受信部１１４は、チューナ回路およびＯＦＤＭ（Orthogonal Frequency Division Multiplexing）復調器等を含んで構成され、中央制御部１１０の制御指定に従い、任意の放送局を選局して、その放送局の番組の映像ストリーム（映像信号）および音声ストリーム（音信号）をデコード（復号）したり、その放送局のＥＰＧ（Electronic Program Guide）情報を取得したりする。
【００３６】
表示部１１６は、液晶ディスプレイ、プラズマディスプレイ、有機ＥＬ(Electro Luminescence)ディスプレイ等で構成され、後述する表示制御部１５０の制御指令に従って、番組受信部１１４が復号したデジタル放送波の映像信号や、ＥＰＧ情報等を画像として表示する。
【００３７】
Ｄ／Ａコンバータ１１８は、番組受信部１１４が復号したデジタル放送波の音信号をアナログの音信号に変換する。
【００３８】
出力アンプ１２０は、Ｄ／Ａコンバータ１１８が変換したアナログの音信号を増幅する。
【００３９】
音声出力部１２２は、スピーカで構成され、後述する音声制御部１５２の制御指令に従って、出力アンプ１２０で増幅された音信号を音波に変換して出力する。
【００４０】
収音部１２４は、マイク等の音認識手段で構成され、音波を収音し、入力された（収音した）音波を、後述する入力音信号処理部１５４内で処理可能な音信号（電気信号）に変換（音響―電気変換）し、入力アンプ１２６に伝達する。
【００４１】
入力アンプ１２６は、収音部１２４が変換した音信号を増幅してＡ／Ｄコンバータ１２８に伝達する。
【００４２】
Ａ／Ｄコンバータ１２８は、入力アンプ１２６が増幅した音信号をアナログ信号からデジタル信号に変換する。以下、Ａ／Ｄコンバータ１２８がデジタル信号に変換した音信号を、単にデジタル化音信号と称する。
【００４３】
また、本実施形態において、中央制御部１１０は、表示制御部１５０、音声制御部１５２、入力音信号処理部１５４、モード切換制御部１５６としても機能する。
【００４４】
表示制御部１５０は、モード切換制御部１５６の制御指令に応じて、表示部１１６の機能をオン／オフする。
【００４５】
音声制御部１５２は、モード切換制御部１５６の制御指令に応じて、音声出力部１２２の機能をオン／オフする。
【００４６】
入力音信号処理部１５４は、すべての音波（音信号）に対して単にエッジパルスを生成するのみならず、収音部１２４が変換した音信号が所定の音信号を示す場合にエッジパルスを生成する。ここでは、所定の音信号として拍手音の音信号を例に挙げて説明する。
【００４７】
図３は、拍手音を説明するための説明図である。上述したように、収音部１２４が変換した音信号は、入力アンプ１２６で増幅され、Ａ／Ｄコンバータ１２８でデジタル化される。図３に示すように、拍手音の音信号の波形１３０は、様々な周波数成分を含んで構成される。
【００４８】
Ａ／Ｄコンバータ１２８がデジタル化した拍手音のデジタル化音信号は、Ａ／Ｄコンバータ１２８のダイナミックレンジ（図３中ＤＲで示す）内であって、無音時のレベルのオフセット成分（図３中ＯＳで示す）に相当する振幅を中心に振動する波形である。
【００４９】
拍手音は何ら器具を用いなくとも場所や時間に拘わらずユーザによって容易に生成され、また、図３に示すように、固有の周波数成分と振幅の推移から他の音との識別性も高い。
【００５０】
本実施形態において、所定の音信号として拍手音を用いているが、これに限定されず、叩音、破裂音（例えば、指をスナップさせることで発生する音等）、人間が意思を伝達するために口から発する音声等様々な音を利用することもできる。
【００５１】
図４は、第１の実施形態にかかる入力音信号処理部１５４の概略的な構成を示した機能ブロック図である。
【００５２】
図４に示すように、入力音信号処理部１５４は、オフセット成分除去部１６０と、絶対値化回路１６２と、所定音判定部１６４と、エッジ信号抽出部１６６と、エッジパルス生成部１６８とを含んで構成される。
【００５３】
オフセット成分除去部１６０は、ハイパスフィルタで構成され、Ａ／Ｄコンバータ１２８から伝送されたデジタル化音信号（図４中、波形＃１で示す）からオフセット成分（ＯＳ）を除去し、絶対値化回路１６２に伝達する。
【００５４】
絶対値化回路１６２は、オフセット成分除去部１６０から伝達されたデジタル化音信号を絶対値化する。図４中波形＃２は、絶対値化回路１６２が絶対値化したデジタル化音信号を示す。
【００５５】
所定音判定部１６４は、絶対値化されたデジタル化音信号が所定の音信号（本実施形態では、拍手音の音信号）であるか否かを判定する。所定音判定部１６４は入力された音信号が予め定めた所定の音信号の条件を満たすか否かを判断し、入力された音信号が予め定めた条件を満たすと、所定の音信号が入力されたと判定する。したがって、音信号の条件を変更すれば、本実施形態で説明する拍手音以外の音信号でも電子機器を操作できる。
【００５６】
エッジ信号抽出部１６６は、絶対値化されたデジタル化音信号が拍手音の音信号であると判定された場合に、絶対値化されたデジタル化音信号からエッジ成分を抽出し、図４中波形＃３に示すようなエッジ信号を生成する。
【００５７】
エッジパルス生成部１６８は、波形＃３のエッジ信号をトリガとして、所定幅（所定長）のエッジパルス（図４中、波形＃４で示す）を生成する。
【００５８】
モード切換制御部１５６は、入力音信号処理部１５４が生成したエッジパルスに基づいて電子機器１００の動作を切換える。本実施形態においてモード切換制御部１５６は、第１の動作であるアクティブモード、第２の動作であるプレアクティブモード、第３の動作であるスタンバイモード、機能待機モードの４つの動作モードに電子機器１００を切換える。
【００５９】
図５は、第１の実施形態にかかる電子機器１００の動作モードを説明するための説明図であり、図６は、第１の実施形態にかかる動作モードの状態遷移にかかる移行時間を説明するための説明図である。図５に示すように、本実施形態の電子機器１００の動作モードは、スタンバイモード、アクティブモード、プレアクティブモード、機能待機モードの４つのモードに分類される。
【００６０】
スタンバイモードは、少なくとも収音部１２４、入力アンプ１２６、Ａ／Ｄコンバータ１２８、入力音信号処理部１５４、およびモード切換制御部１５６が動作するモードである。
【００６１】
アクティブモードは、少なくとも収音部１２４、入力アンプ１２６、Ａ／Ｄコンバータ１２８、入力音信号処理部１５４、モード切換制御部１５６、番組受信部１１４、表示制御部１５０、音声制御部１５２、表示部１１６、および音声出力部１２２が動作するモードである。電子機器１００がアクティブモードである場合に、表示制御部１５０は表示部１１６の機能をオンにし、音声制御部１５２は音声出力部１２２の機能をオンにする。したがって、表示部１１６は、表示制御部１５０の制御指令に従って、番組受信部１１４が復号した映像信号を画像として表示し、音声出力部１２２は、音声制御部１５２の制御指令に従って、番組受信部１１４が復号した音信号を音波に変換して出力する。
【００６２】
本実施形態において特徴的なプレアクティブモードは、上述したアクティブモードに即座に移行可能なモードであり、少なくとも収音部１２４、入力アンプ１２６、Ａ／Ｄコンバータ１２８、入力音信号処理部１５４、モード切換制御部１５６、および番組受信部１１４が動作し、かかる番組受信部１１４は、前回ユーザが選局した放送局が送信するデジタル放送波を受信し、映像信号および音信号の復号まで実行しているモードである。電子機器１００がプレアクティブモードである場合に、表示制御部１５０は、表示部１１６の機能をオフにし、音声制御部１５２は、音声出力部１２２の機能をオフにする。したがって、表示部１１６は、復号された映像信号を画像として表示せず、音声出力部１２２は、復号された音信号を音波に変換して出力しない。
【００６３】
機能待機モードは、少なくとも収音部１２４、入力アンプ１２６、Ａ／Ｄコンバータ１２８、入力音信号処理部１５４、モード切換制御部１５６、および番組受信部１１４が動作するモードである。番組受信部１１４は、当該機能待機モードにおいて、前回ユーザが選局した放送局以外の放送局であってＥＰＧ情報を取得可能な放送局が送信するデジタル放送波を受信し、ＥＰＧ情報を取得する。
【００６４】
本実施形態において、電子機器１００の現在の動作モードがスタンバイモードまたは機能待機モードである場合に、モード切換制御部１５６は、アクティブモードに切換えるための第１の回数よりも少ない第２の回数の音波が収音部１２４に入力されると、すなわち、第１所定回数のエッジパルスを検出する前の第２所定回数のエッジパルスの検出をトリガとして、スタンバイモードからプレアクティブモードへの切換動作を開始する。その後、モード切換制御部１５６は、第１の回数の音波が収音部１２４に入力されると、すなわち、アクティブモードに切換えるための第１所定回数のエッジパルスを検出するとプレアクティブモードからアクティブモードへの切換動作を開始する。したがって、第１所定回数目のエッジパルスを検出してから初めてアクティブモードへの切換動作を開始する場合と比較して、アクティブモードへの切換えが完了する時間を短縮することができる。
【００６５】
また、本実施形態において、モード切換制御部１５６は、電子機器１００の現在の動作モードがスタンバイモードである場合、所定時間ごとに機能待機モードへの切換動作を開始する。さらにモード切換制御部１５６は、現在の動作モードがアクティブモードであるときにユーザ１０２による番組の視聴を終了する旨の操作入力を受け付けた場合も、機能待機モードへの切換動作を開始する。そして、電子機器１００の動作モードが機能待機モードに切換わると、番組受信部１１４はＥＰＧ情報の取得を開始し、かかるＥＰＧ情報の取得が完了すると、モード切換制御部１５６は、動作モードを機能待機モードからスタンバイモードへの切換動作を開始する。
【００６６】
このような動作モードの変換に費やす時間を説明すると、図６に示すように、モード切換制御部１５６が、動作モードをスタンバイモードからプレアクティブモードへ切換える際に切換開始から切換完了までにかかる移行時間ｔｓ１は約５秒である。一方、プレアクティブモードからアクティブモードへ切換える際に切換開始から切換完了までにかかる移行時間ｔｓ２は約０．２秒と短くなる。
【００６７】
機能待機モードからプレアクティブモードへ切換える際に切換開始から切換完了までにかかる移行時間ｔｓ３は約２秒であり、スタンバイモードからから機能待機モードへの切換開始から切換完了までの移行時間ｔｓ４は、約３秒であり、アクティブモードから機能待機モードへの切換開始から切換完了までの移行時間ｔｓ５は、約２秒である。また、アクティブモードからスタンバイモード、プレアクティブモードからスタンバイモード、機能待機モードからスタンバイモードへの切換開始から切換完了までの移行時間ｔｓ６、ｔｓ７、ｔｓ８は、約０．２秒である。
【００６８】
上述したようにモード切換制御部１５６は、現在の動作モードがアクティブモードになっていないとき、エッジパルスを第２所定回数検出すると、プレアクティブモードへの切換動作を開始し、第２所定回数より大きい第１所定回数エッジパルスを略等間隔（例えば、略１秒間隔）で連続して検出すると、アクティブモードへの切換動作を開始する。
【００６９】
ここでは、第１の回数、すなわち第１所定回数を３とし、第２の回数、すなわち第２所定回数を１とする。プレアクティブモードへの切換動作を開始するトリガとなるエッジパルスを１回目の拍手音に基づくエッジパルスとする構成により、最も早くプレアクティブへの切換動作を開始することができ、第１所定回数（ここでは、３回）のエッジパルスの検出すなわちアクティブモードへの切換動作を開始するためのトリガの検出とアクティブモードへの切換えの完了との差を短くすることが可能となる。
【００７０】
また、第１所定回数を３とする構成により、第１所定回数が３未満であることに起因する所定の音信号の誤検出の可能性を回避できる。また、第１所定回数が３より大きいと、第１所定回数目のエッジパルスの予測検出時刻を高精度に導出することはできるが、ユーザが音波を発生させる回数が増加してしまい、操作が煩雑になってしまうおそれが生じるため、第１所定回数は３が好ましい。
【００７１】
図７は、第１の実施形態にかかるモード切換制御部１５６の処理を説明するための説明図である。図７では、電子機器１００の現在の動作モードがスタンバイモードになっている場合を例に挙げて説明する。
【００７２】
モード切換制御部１５６は、入力音信号処理部１５４が生成した図７（ａ）に示すようなエッジパルスＰ１を検出すると、図７（ｂ）に示すように、プレアクティブモードへの切換動作を開始し、番組受信部１１４に開始信号を送信する。かかる開始信号を受信した番組受信部１１４は、デジタル放送波の受信を開始する。
【００７３】
そして、モード切換制御部１５６は、開始信号を送信するトリガとなった１回目のエッジパルスＰ１を検出してから、図７（ａ）に示す２回目のエッジパルスＰ２、３回目のエッジパルスＰ３のように連続して２回エッジパルスを検出すると、アクティブモードへの切換動作を開始し、図７（ｃ）に示すように、表示制御部１５０および音声制御部１５２に連続信号を送信する。連続信号を受信した表示制御部１５０は、番組受信部１１４が復号した映像信号を画像として表示部１１６に表示させ、連続信号を受信した音声制御部１５２は、番組受信部１１４が復号した音信号を音波として音声出力部１２２に出力させる。本実施形態では、１回目のエッジパルスＰ１を検出した時刻をｔ１、２回目のエッジパルスＰ２を検出した時刻をｔ２、３回目のエッジパルスＰ３を検出した時刻をｔ３とする。
【００７４】
本実施形態において、モード切換制御部１５６は、上記した条件で連続信号を出力しているが、これに限るものではない。エッジパルスが第１所定回数以上、不必要に発生している場合にそれを第１所定回数のエッジパルスと認識しないように、モード切換制御部１５６は、エッジパルスを第１所定回数（ここでは３回）検出したとしてもすぐにアクティブモードへの切換動作を開始せず、３回目のエッジパルスＰ３以降、次のエッジパルスが検出されなかったことをもって連続信号を出力してもよい。
【００７５】
本実施形態では、スタンバイモードからプレアクティブモードへの切換開始時点からプレアクティブモードへの切換完了時点までにかかる移行時間をｔｓ１とした。スタンバイモードからプレアクティブモードへの切換開始時点は、１回目のエッジパルスＰ１を検出した時刻ｔ１とする。また、プレアクティブモードからアクティブモードへの切換えにかかる移行時間をｔｓ２とした。
【００７６】
図７（ｄ）は、移行時間ｔｓ１が１回目のエッジパルスＰ１を検出した時刻ｔ１から３回目のエッジパルスＰ３を検出する時刻ｔ３までの時間より短い（ｔ３−ｔ１＞ｔｓ１）場合のモード切換制御部１５６による動作モードの切換えを示す。ここではｔ３−ｔ１＞ｔｓ１の場合をモード遷移Ａとする。図７（ｄ）に示すモード遷移Ａの場合、３回目のエッジパルスＰ３を検出する時刻ｔ３までに、プレアクティブモードへの切換えが完了しているため、３回目のエッジパルスＰ３が検出されると、検出された時刻ｔ３から移行時間ｔｓ２が経過した後、速やかにアクティブモードへの切換えが完了する。
【００７７】
一方、プレアクティブモードが設けられていない従来の状態遷移では、図７（ｅ）に示すように、３回目のエッジパルスＰ３を検出してから、初めてモード切換えを制御する信号が出力されていた。したがって時刻ｔ３よりスタンバイモードからアクティブモードへの切換動作が開始されるため、３回目のエッジパルスＰ３を検出した時刻ｔ３から、移行時間ｔｓ１と移行時間ｔｓ２が経過した後アクティブモードへの切換えが完了することになる。
【００７８】
したがって、図７（ｄ）に示すモード遷移Ａの場合、図７（ｅ）に示す従来の状態遷移と比較して、３回目のエッジパルスＰ３を検出してから、（ｔｓ１＋ｔｓ２）−ｔｓ２＝ｔｓ１分早くアクティブモードへの切換えを完了することができる。
【００７９】
図７（ｆ）および図７（ｇ）は、１回目のエッジパルスＰ１を検出した時刻ｔ１から３回目のエッジパルスＰ３を検出する時刻ｔ３までの時間が、移行時間ｔｓ１より短い（ｔ３−ｔ１≦ｔｓ１）場合を示す。ここではｔ３−ｔ１≦ｔｓ１の場合をモード遷移Ｂとする。図７（ｇ）に示すモード遷移Ｂでは、３回目のエッジパルスＰ３を検出した時刻ｔ３までに、移行時間ｔｓ１が経過せず３回目のエッジパルスＰ３が検出されてもプレアクティブモードへの切換えは完了しない。しかし、図７（ｅ）に示す従来と比較して、３回目のエッジパルスＰ３を検出してから、（ｔｓ１＋ｔｓ２）−（ｔｓ１−（ｔ３−ｔ１）＋ｔｓ２）＝ｔ３−ｔ１分早くアクティブモードへの切換えを完了することができる。
【００８０】
上述したように、本実施形態にかかる電子機器１００は、現在の動作モードが表示部１１６に画像が表示されるアクティブモードになっていない、例えばスタンバイモードのとき、アクティブモードに切換えるための第１所定回数（３回）のエッジパルスを検出する前の第２所定回数（１回）のエッジパルスの検出をトリガとして、プレアクティブモードへの切換動作を開始する。換言すれば、アクティブモードに切換えるための第１所定回数目のエッジパルスを検出したときには、すでに、プレアクティブモードへの切換動作中またはプレアクティブモードへの切換えが完了していることになる。
【００８１】
したがって、図７（ｄ）に示すように、モード切換制御部１５６は、第１所定回数目のエッジパルスである３回目のエッジパルスＰ３を検出したときに、プレアクティブモードへの切換えが完了していれば、第１所定回数目のエッジパルスＰ３の検出をトリガとして、即座にアクティブモードへ切換えることができる。そうすると図７（ｅ）に示す、第１所定回数目のエッジパルスである３回目のエッジパルスＰ３を検出してから初めてアクティブモードへの切換動作を開始する場合と比較して、アクティブモードへの切換えが完了する時間を前倒し（短縮）することが可能となる。つまり、ユーザが画像を表示させるために第１所定回数目の音波を発生させる前に、すでに電子機器１００はプレアクティブモードになっているため、ユーザは、画像を表示させるための操作となる３回の音波を発生させてから、ほとんど待ち時間を感じずに画像を視認することができる。
【００８２】
また、図７（ｇ）に示すように、第１所定回数目のエッジパルスである３回目のエッジパルスＰ３を検出した時刻ｔ３に、プレアクティブモードへの切換えが完了していなくても、プレアクティブモードへの切換動作は開始されているため、上記同様、図７（ｅ）に示す従来の場合と比較して、表示部１１６に早く画像を表示させることが可能となる。
【００８３】
上述したように、モード切換制御部１５６は、ユーザが途中でアクティブモードへの切換えを中止した場合や、所定の音信号ではない別の音信号を所定の音信号と誤って検出した場合であっても、第２所定回数（１回）のエッジパルスを検出するとプレアクティブモードへ移行してしまう。
【００８４】
そこで、モード切換制御部１５６は、現在の動作モードがアクティブモードでない場合において、複数回検出されたエッジパルスのうち、連続して検出されたエッジパルス間の時間間隔を求め、かかる時間間隔に基づいて、次回の音波が入力される第３の時刻、すなわち次にエッジパルスが検出される時刻を算出する。そして、モード切換制御部１５６は、算出した第３の時刻に基づく所定時間内に、次回の音波が入力（次回のエッジパルスが検出）されないと、プレアクティブモードへの切換動作を注視し、スタンバイモードへの切換動作を開始する。
【００８５】
例えば本実施形態であれば２回のエッジパルスを検出した後、その２回のエッジパルス間の時間間隔（以下、単に検出時間間隔と称する）から予測された、次回（３回目）のエッジパルスが検出される時刻（以下、単に予測検出時刻と称する）を設定し、予想検出時刻を基準とした所定時間内（以下、所定時間範囲と称する）に、３回目のエッジパルスが検出されたか否かに基づいてモードの切換開始または切換中止を判断する。３回目のエッジパルスが検出されなかった場合、すなわち、連続してエッジパルスが検出されなかった場合、モード切換制御部１５６は入力されたエッジパルスがアクティブモードへの切換えのトリガではないとみなして、そのプレアクティブモードへの切換動作を中止し、消費電力の最も小さいスタンバイモードに戻すべく、スタンバイモードへの切換動作を開始する。
【００８６】
図８は、モード切換制御部１５６の処理を説明するための説明図である。本実施形態において、モード切換制御部１５６は上述したように、略等間隔に３回エッジパルスを検出するとアクティブモードへの切換動作を開始するように予め設定されている。このため、モード切換制御部１５６は、１回目のエッジパルスＰ１を検出した時刻ｔ１と２回目のエッジパルスＰ２を検出した時刻ｔ２との検出時間間隔ｔ２−ｔ１から３回目のエッジパルスＰ３を検出する時刻（予測検出時刻）ｔｐを予測することができる。具体的には、モード切換制御部１５６は、２回目のエッジパルスＰ２を検出すると、１回目のエッジパルスＰ１と２回目のエッジパルスＰ２の検出時間間隔ｔ２−ｔ１を導出し、３回目のエッジパルスＰ３が時刻ｔ２から検出時間間隔ｔ２−ｔ１が経過した予測検出時刻ｔｐの前後を含む所定時間範囲ｔｇ内に検出されると予測することが可能となる。
【００８７】
一方、モード切換制御部１５６は、現在の動作モードがスタンバイモードである場合、図８（ａ）に示すような入力音信号処理部１５４が生成したエッジパルスＰ１を検出すると、プレアクティブモードへの切換動作を開始し、図８（ｂ）に示すように番組受信部１１４に開始信号を送信する。そして開始信号を受信した番組受信部１１４は、デジタル放送波の受信を開始する。
【００８８】
続いて、図８（ｃ）に示すように、モード切換制御部１５６は、開始信号を送信するトリガとなった１回目のエッジパルスＰ１と２回目のエッジパルスＰ２との検出時間間隔ｔ２―ｔ１から予測された、３回目のエッジパルスＰ３の予測検出時刻ｔｐを基準とした所定時間範囲ｔｇ内に、３回目のエッジパルスＰ３が検出されるか否かを判定する。３回目のエッジパルスＰ３が検出された場合、モード切換制御部１５６はアクティブモードへの切換えを開始し、検出されない場合、モード切換制御部１５６は、動作モードをスタンバイモードへ戻すべく、スタンバイモードへの切換動作を開始し、連続信号を送信せず、図８（ｄ）に示すように、中断信号を番組受信部１１４に送信する（図８（ｅ））。
【００８９】
かかる構成により、プレアクティブモードを不用意に継続してしまうことに起因する、無駄な消費電力を削減することができる。
【００９０】
また、上述したようにモード切換制御部１５６は、画像を表示させるための所定の音信号ではない別の音信号を所定の音信号として誤って検出した場合であっても、プレアクティブモードへの切換動作を開始してしまう。
【００９１】
そこで、モード切換制御部１５６は後述する図９に示すように、任意の音波が入力されてから、すなわち任意のエッジパルス、例えば、１回目のエッジパルスＰ１を検出した時刻ｔ１から所定時間（以下、タイムアウト時間ｔｔと称する）内に次の音波が入力される（次のエッジパルスが検出される）か否かを判定する。タイムアウト時間ｔｔを経過してもなお次のエッジパルスが検出されない場合、すなわち、検出したエッジパルスに連続性が無い場合、かかるエッジパルスＰ１を誤検出とみなして、そのプレアクティブモードへの切換動作を中止し、消費電力の最も小さいスタンバイモードへ戻すべく、スタンバイモードへの切換動作を開始する。
【００９２】
図９は、第１の実施形態にかかるモード切換制御部１５６の処理を説明するための説明図である。図９（ａ）に示すように、モード切換制御部１５６は、現在の動作モードがスタンバイモードである場合、入力音信号処理部１５４が生成したエッジパルスＰ１を検出すると、プレアクティブモードへの切換動作を開始し、図９（ｂ）に示すように番組受信部１１４に開始信号を送信する。そして開始信号を受信した番組受信部１１４は、デジタル放送波の受信を開始する。
【００９３】
続いて、モード切換制御部１５６は、開始信号を送信するトリガとなった１回目のエッジパルスＰ１を検出した時刻ｔ１から図９（ｅ）に示す所定のタイムアウト時間ｔｔを経過してもなお次の２回目のエッジパルスＰ２が検出されない場合、スタンバイモードへ戻すべく、スタンバイモードへの切換動作を開始し、連続信号を送信せず（図９（ｃ））、図９（ｄ）に示すように、中断信号を番組受信部１１４に送信する。
【００９４】
かかる構成により、プレアクティブモードを不用意に継続してしまうことに起因する、無駄な消費電力を削減することができる。
【００９５】
（制御方法）
また、上述した電子機器１００を用いた制御方法も提供される。図１０は、第１の実施形態にかかる電子機器１００を制御する制御方法の具体的な処理を示したフローチャートである。ここでは、理解を容易にするため、アクティブモードへの切換え回数である第１所定回数を３回、プレアクティブモードへの切換え回数を１回としている。
【００９６】
電子機器１００において、収音部１２４に音波が入力されると、収音部１２４は、入力された音波を音信号（電気信号）に変換する。そして、図１０に示すように、中央制御部１１０の入力音信号処理部１５４は、収音部１２４が変換した音信号が拍手音の音信号を示す（Ｓ２００のＹＥＳ）場合にエッジパルスを生成し（Ｓ２０２）、モード切換制御部１５６は、電子機器１００の現在の動作モードが既にアクティブモードになっているか否かを判定する（Ｓ２０４）。
【００９７】
電子機器１００の現在の動作モードがアクティブモードになっていなければ（Ｓ２０４のＮＯ）、モード切換制御部１５６は、エッジパルス生成ステップＳ２０２で生成されたエッジパルスの検出カウントをインクリメントする（Ｓ２０６）。そしてモード切換制御部１５６は、エッジパルスの検出カウントが３であるか否かを判定し（Ｓ２０８）、３でなければ（Ｓ２０８のＮＯ）、今度は検出カウントが２であるか否かを判定し（Ｓ２１０）、２でなければ（Ｓ２１０のＮＯ）、検出カウントが１であるか否かを判定する（Ｓ２１２）。エッジパルスの検出カウントが１である場合（Ｓ２１２のＹＥＳ）、プレアクティブモードへの切換動作を開始し（Ｓ２１４）、１回目のエッジパルスＰ１が検出されたことを示すフラグを立てると共に２回目のエッジパルスＰ２のタイムアウト時間ｔｔの終了時刻であるタイムアウト時刻ｔｏを設定して（Ｓ２１６）、音信号判定ステップＳ２００へ戻る。
【００９８】
そして、次の音信号が拍手音であり（Ｓ２００のＹＥＳ）、エッジパルスが生成される（Ｓ２０２）と、エッジパルスの検出カウントがインクリメントされ（Ｓ２０６）、検出カウントが２になる。したがって、検出カウント判定ステップＳ２１０で検出カウントが２であると判定され（Ｓ２１０のＹＥＳ）、モード切換制御部１５６は２回目のエッジパルスＰ２が検出されたことを示すフラグを立て（Ｓ２１８）、１回目のエッジパルスＰ１を検出した時刻ｔ１と２回目のエッジパルスＰ２を検出した時刻ｔ２との検出時間間隔ｔ２−ｔ１から３回目のエッジパルスＰ３を検出する時刻（予測検出時刻）ｔｐを算出し、予測検出時刻ｔｐを含む所定時間範囲ｔｇの開始時刻ｔｇ１と終了時刻ｔｇ２とを設定する（Ｓ２２０）。
【００９９】
さらに、次の音波の音信号が拍手音の音信号であり（Ｓ２００のＹＥＳ）、エッジパルスが生成される（Ｓ２０２）と、エッジパルスの検出カウントがインクリメントされ（Ｓ２０６）、検出カウントが３になる。したがって、検出カウント判定ステップＳ２０８で検出カウンタが３であると判定され（Ｓ２０８のＹＥＳ）、続いて現時刻が開始時刻ｔｇ１より前か否かが判定される（Ｓ２２２）。現時刻が開始時刻ｔｇ１より前でなければ（Ｓ２２２のＮＯ）、その３回目のエッジパルスは適切な時間に入力されたと判断され、モード切換制御部１５６は、アクティブモードへの切換動作を開始し（Ｓ２２４）、エッジパルスの検出カウントおよびエッジパルスＰ１、Ｐ２のフラグをクリアする（Ｓ２２６）。また、現時刻が開始時刻ｔｇ１より前と判定されると（Ｓ２２２のＹＥＳ）、今回入力された３回目のエッジパルスＰ３を無効にするためエッジパルスの検出カウントをデクリメントする（Ｓ２２８）。ここでは、現時刻が開始時刻ｔｇ１より前と判定されると（Ｓ２２２のＹＥＳ）、今回入力された３回目のエッジパルスＰ３を無効にするためエッジパルスの検出カウントをデクリメントする（Ｓ２２８）が、現時刻が開始時刻ｔｇ１より前と判定される場合（Ｓ２２２のＹＥＳ）、エッジパルスの検出カウントをクリアにしてすべてのエッジパルスを無効にしてスタンバイモードへの切換えを開始してもよい。
【０１００】
収音部１２４が変換した音信号が拍手音の音信号を示さない場合（Ｓ２００のＮＯ）、モード切換制御部１５６は、２回目のエッジパルスＰ２がすでに検出されているか否かをフラグを通じて判断する（Ｓ２３０）。２回目のエッジパルスＰ２がすでに検出されていると（Ｓ２３０のＹＥＳ）、現時刻が終了時刻ｔｇ２より後か否かを判定する（Ｓ２３２）。モード切換制御部１５６が、現時刻が終了時刻ｔｇ２より後であると判断すると（Ｓ２３２のＹＥＳ）、スタンバイモードへの切換動作を開始し（Ｓ２３４）、エッジパルスの検出カウントおよびエッジパルスＰ１、Ｐ２のフラグをクリアする（Ｓ２３６）。そして、音信号判定ステップＳ２００へ戻る。
【０１０１】
また、２回目のエッジパルスＰ２検出済判定ステップ（Ｓ２３０）において、モード切換制御部１５６が、２回目のエッジパルスＰ２がまだ検出されていないと判断した場合（Ｓ２３０のＮＯ）、１回目のエッジパルスＰ１がすでに検出されているか否かをフラグを通じて判断する（Ｓ２３８）。１回目のエッジパルスＰ１がすでに検出されていると（Ｓ２３８のＹＥＳ）、モード切換制御部１５６は、現時刻がタイムアウト時刻ｔｏより後か否かを判定する（Ｓ２４０）。
【０１０２】
モード切換制御部１５６が、現時刻がタイムアウト時刻ｔｏより後であると判断すると（Ｓ２４０のＹＥＳ）、モード切換制御部１５６は、スタンバイモードへの切換動作を開始し（Ｓ２４２）、エッジパルスの検出カウントをクリアする（Ｓ２３６）。そして、音信号判定ステップＳ２００へ戻る。
【０１０３】
終了時刻ｔｇ２経過判定ステップ（Ｓ２３２）において、モード切換制御部１５６が、現時刻は終了時刻ｔｇ２より後ではないと判断した場合（Ｓ２３２のＮＯ）、１回目のエッジパルスＰ１検出済判定ステップ（Ｓ２３８）において、モード切換制御部１５６が、１回目のエッジパルスＰ１がまだ検出されていないと判断した場合（Ｓ２３８のＮＯ）、または、タイムアウト時刻ｔｏ経過判定ステップ（Ｓ２４０）において、モード切換制御部１５６が、現時刻はタイムアウト時刻ｔｏより後ではないと判断した場合（Ｓ２４０のＮＯ）、音信号判定ステップＳ２００へ戻る。
【０１０４】
上述したように、本実施形態にかかる電子機器１００を制御する制御方法においても、別途特別な装置を付加することなく、スムーズに画像を表示部１１６に表示させることが可能となる。
【０１０５】
（第２の実施形態）
上述した第１の実施形態の電子機器１００は、アクティブモードに切換えるための第１所定回数目のエッジパルスを検出したときには、すでに、プレアクティブモードへの切換動作中またはプレアクティブモードへの切換えが完了しているため、スムーズに画像を表示部１１６に表示させることができた。しかし、プレアクティブモードへの移行時間が固定であるのに対して、第２所定回数目のエッジパルスを検出してから第１所定回数目のエッジパルスを検出するまでの時間が不定なので、プレアクティブモードへの移行が早すぎて電力を費やす場合が生じうる。本実施形態では、スムーズな画像の表示を遂行しつつ、プレアクティブモードへの移行時間を調整することで、消費電力を低減させることができる電子機器３００について説明する。
【０１０６】
（電子機器３００）
図１１は、第２の実施形態にかかる電子機器３００の概略的な構成を示した機能ブロック図である。図１１に示すように、電子機器３００は、制御部としての中央制御部３１０と、装置メモリ１１２と、番組受信部１１４と、表示部１１６と、出力アンプ１２０、音声出力部１２２と、収音部１２４と、入力アンプ１２６とを含んで構成される。なお、上述した第１の実施形態の電子機器１００と実質的に等しい構成要素については、同一の符号を付して説明を省略する。
【０１０７】
中央制御部３１０は、中央処理装置（ＣＰＵ）や信号処理装置（ＤＳＰ）を含む半導体集積回路で構成され、所定のプログラムを用いて電子機器３００全体を管理および制御する。
【０１０８】
また、本実施形態において、中央制御部３１０は、表示制御部１５０、音声制御部１５２、入力音信号処理部１５４、電力調整部３２０、モード切換制御部３５６としても機能する。ここでも、上述した第１の実施形態の中央制御部１１０と実質的に等しい構成要素については、同一の符号を付して説明を省略する。
【０１０９】
電力調整部３２０は、複数かつ第１の回数（ここでは３）未満の回数入力された音波のうち連続して入力された音波間の時間間隔を求め、かかる時間間隔に基づいて、第１の回数の音波が入力される第１の時刻を算出する。本実施形態において電力調整部３２０は、複数のエッジパルスを検出したときに、その複数のエッジパルスの検出時間間隔から、第１の時刻として、第１所定回数目のエッジパルスの予測検出時刻ｔｐを算出する。そして電力調整部３２０は、算出した予測検出時刻ｔｐと、予め定めたプレアクティブモードへの切換えの完了に要する時間に基づくプレアクティブモードへの切換えが完了する時刻の予測値である予測完了時刻ｔｃとが異なる場合、予測完了時刻ｔｃが第１所定回数目のエッジパルスの予測検出時刻ｔｐ近傍の任意の時刻になるように、電子機器３００に消費させる電力、例えば、中央制御部３１０のクロックの速度を調整する。
【０１１０】
図１２は、第２の実施形態にかかる電力調整部３２０の処理を説明するための説明図である。
【０１１１】
本実施形態においてモード切換制御部３５６は、現在の動作モードがスタンバイモードである場合、入力音信号処理部１５４が生成した図１２（ａ）に示すようなエッジパルスＰ１を時刻ｔ１で検出すると、図１２（ｂ）に示すように、プレアクティブモードへの切換動作を開始し、番組受信部１１４に開始信号を送信する。そして開始信号を受信した番組受信部１１４は、デジタル放送波の受信を開始する。
【０１１２】
また、モード切換制御部３５６は、現在の動作モードがスタンバイモードである場合、入力音信号処理部１５４が生成した１回目のエッジパルスＰ１を検出すると、開始信号を電力調整部３２０にも送信する。
【０１１３】
そして、モード切換制御部３５６は、開始信号を送信するトリガとなった１回目のエッジパルスＰ１を検出してから、第２所定回数より大きく第１所定回数未満の第３所定回数（本実施形態では２回）目のエッジパルスＰ２を検出すると、図１２（ｃ）に示すように、電力調整部３２０に調整信号を送信する。
【０１１４】
電力調整部３２０は、開始信号の受信時刻ｔ１と調整信号の受信時刻ｔ２とから１回目のエッジパルスＰ１と２回目のエッジパルスＰ２の検出時間間隔（ｔ２−ｔ１）を導出する。そして、アクティブモードへの切換動作を開始するためのトリガである３回目のエッジパルスＰ３の予測検出時刻ｔｐを、検出時刻ｔ２から検出時間間隔ｔ２−ｔ１が経過した時刻と予測する。
【０１１５】
続いて、電力調整部３２０は、予め定められたスタンバイモードからプレアクティブモードへの切換えに要する移行時間ｔｓ１に基づいて、プレアクティブモードへの切換えが完了する時刻の予測値である予測完了時刻ｔｃ（ここでは、ｔ１＋ｔｓ１、図６参照）を導出する。そして電力調整部３２０は、予測完了時刻ｔｃと予測検出時刻ｔｐとが異なるか否かを判定し、予測完了時刻ｔｃが予測検出時刻ｔｐ近傍の任意の時刻になるように、電子機器３００に消費させる電力を調整する。本実施形態では予測検出時刻ｔｐは、３回目のエッジパルスＰ３が検出される時刻とし、ｔｐ≒ｔ１＋２×（ｔ２−ｔ１）で求める。
【０１１６】
図１２（ｄ）および（ｅ）は、予測完了時刻ｔｃが予測検出時刻ｔｐよりも早い場合の電力調整部３２０の処理を説明するための説明図である。図１２（ａ）に示すような間隔でエッジパルスが入力されると、図１２（ｄ）に示すように、予測完了時刻ｔｃが予測検出時刻ｔｐよりも早い時刻となり、予測検出時刻ｔｐになる前にプレアクティブモードへの切換えが完了してしまう。
【０１１７】
ここで消費電力について説明すると、電子機器３００の各動作モードにおける消費電力は、スタンバイモード、プレアクティブモード、アクティブモードの順に大きい。本実施形態における電子機器３００においては、例えば、スタンバイモードは約０．２Ｗ、プレアクティブモードは約２０Ｗ、アクティブモードは約２００Ｗである。また、機能待機モードはプレアクティブモードと略等しい消費電力である。
【０１１８】
したがって、図１２（ｄ）に示すように、予測完了時刻ｔｃが予測検出時刻ｔｐよりも早い場合、プレアクティブモードへの移行が完了してから第１所定回数目（３回目）のエッジパルスを待つだけの期間が生じてしまい、かかる期間で無駄な電力消費が発生する。
【０１１９】
そのため、電力調整部３２０は電子機器３００に消費させる電力を調整して、予測完了時刻ｔｃを予測検出時刻ｔｐに近づけることが好ましい。そこで、電力調整部３２０は、下記の式１を用いて、２回目のエッジパルスＰ２の検出に基づく調整信号を受信した時刻ｔ２においてプレアクティブモードへの切換動作がどの程度遂行されているのかを示す進行率αを導出する。
【０１２０】
α＝（ｔ２−ｔ１）／ｔｓ１          （式１）
ここで、ユーザは略等間隔で音波を発生させると仮定するとｔ２−ｔ１≒ｔｐ−ｔ２であるから、予測完了時刻ｔｃを予測検出時刻ｔｐの近傍にするために、電力調整部３２０は、２回目のエッジパルスＰ２を検出した時刻ｔ２から予測検出時刻ｔｐまでのプレアクティブモードへの切換えの処理速度を、１回目のエッジパルスＰ１を検出した時刻ｔ１から２回目のエッジパルスＰ２を検出した時刻ｔ２の処理速度に（１−α）／αを乗じた速度となるように電子機器３００に消費させる電力を小さく調整すればよい。
【０１２１】
本実施形態にかかる電子機器３００は、アクティブモードへの切換開始のトリガが生じる前にプレアクティブモードへの切換動作を開始しておくことを目的としている。しかし、上述したようにプレアクティブモードは、アクティブモードほどではないが番組受信部１１４が動作しないスタンバイモードより１００倍程度消費電力が大きくなる。このようなプレアクティブモードに不用意に早く移行してしまうと、プレアクティブモードへの切換えが完了した後、第１所定回数目のエッジパルスが生じるまでの間、無駄な電力を消費してしまう。ここでは、調整信号の受信をトリガとして電力調整部３２０が、電子機器３００に消費される電力を調整して、プレアクティブモードへの切換完了とアクティブモードへの切換開始との時刻を合わせることで、プレアクティブモードを維持している時間を削減し、消費電力の総合的な低減を図ることが可能となる。
【０１２２】
図１２（ｆ）、（ｇ）および（ｈ）は、予測完了時刻ｔｃが予測検出時刻ｔｐよりも遅い場合の電力調整部３２０の処理を説明するための説明図である。図１２（ｆ）に示すような間隔でエッジパルスが入力されると、図１２（ｇ）に示すように、予測完了時刻ｔｃが予測検出時刻ｔｐよりも遅い時刻となり、予測検出時刻ｔｐにはプレアクティブモードへの切換えが完了しない。そのため、ユーザがアクティブモードへ切換えるための第１所定回数目（３回目）の拍手音を発生させてから、電子機器３００がアクティブモードに切り換わるまでに時間がかかる。
【０１２３】
そこで、図１２（ｈ）に示すように、予測完了時刻ｔｃが予測検出時刻ｔｐよりも遅い場合、電力調整部３２０は、上記の式１を用いて、予測完了時刻ｔｃを予測検出時刻ｔｐの近傍にするために、電力調整部３２０は、検出時刻ｔ２から予測検出時刻ｔｐまでのプレアクティブモードへの切換えの処理速度を、１回目のエッジパルスＰ１を検出した時刻ｔ１から２回目のエッジパルスＰ２を検出した時刻ｔ２の処理速度に（１−α）／αを乗じた速度となるように電子機器３００に消費させる電力を大きく調整すればよい。
【０１２４】
また、電力調整部３２０が、予め、予測完了時刻ｔｃが予測検出時刻ｔｐよりも遅くなるように電力を下げておけば、予測完了時刻ｔｃと予測検出時刻ｔｐが略等しい場合と比較して、ユーザが途中でアクティブモードへの切換えの中止を試みた場合や、所定の音信号ではない別の音信号を所定の音信号と誤って検出した場合に、電子機器３００に消費させる電力を削減することが可能となる。
【０１２５】
（第３の実施形態：電子機器４００）
図１３は、第３の実施形態にかかる電子機器４００の概略的な構成を示した機能ブロック図である。図１３に示すように、電子機器４００は、制御部としての中央制御部４１０と、メモリ４１２と、番組受信部１１４と、表示部１１６と、出力アンプ１２０、音声出力部１２２と、収音部１２４と、入力アンプ１２６とを含んで構成される。なお、上述した第１の実施形態の電子機器１００と実質的に等しい構成要素については、同一の符号を付して説明を省略する。
【０１２６】
中央制御部４１０は、中央処理装置（ＣＰＵ）や信号処理装置（ＤＳＰ）を含む半導体集積回路で構成され、所定のプログラムを用いて電子機器４００全体を管理および制御する。
【０１２７】
装置メモリ４１２は、ＲＡＭ、フラッシュメモリ、ＨＤＤ等で構成される。本実施形態において、装置メモリ４１２は、後述する電力調整部４２０が求めた、過去における第２所定回数目のエッジパルスの実際の検出時刻から第１所定回数目のエッジパルスの実際の検出時刻までの実検出時間の履歴（以下、単に検出時間履歴と称する）を保持する。かかる検出時間履歴は、過去の第２所定回数目のエッジパルスの検出時刻から第１所定回数目のエッジパルスの検出時刻までの実検出時間の平均値、第２所定回数目のエッジパルスの検出時刻から第１所定回数目のエッジパルスの検出時刻までの実検出時間の前回値等である。
【０１２８】
また、本実施形態において、中央制御部４１０は、表示制御部１５０、音声制御部１５２、入力音信号処理部１５４、モード切換制御部３５６、電力調整部４２０としても機能する。ここでも、上述した第１および第２の実施形態の中央制御部１１０、３１０と実質的に等しい構成要素については、同一の符号を付して説明を省略する。
【０１２９】
電力調整部４２０は、過去における第２の回数の音波が入力された時刻（本実施形態では、第２所定回数目のエッジパルスの実際の検出時刻）から第１の回数の音波が入力された時刻（本実施形態では、第１所定回数目のエッジパルスの実際の検出時刻）までの時間間隔（検出時間履歴）を予め求めて、装置メモリ４１２に保持させる。そして、電力調整部４２０は、かかる検出時間履歴に基づいて、第１の回数の音波が入力される第１の時刻、すなわち第１所定回数目のエッジパルスの予測検出時刻を算出する。本実施形態において電力調整部４２０は、モード切換制御部３５６が送信した開始信号を受信すると、装置メモリ４１２が保持する検出時間履歴に基づいて、第１所定回数目のエッジパルスの今回の検出時刻である予測検出時刻を算出し、予め定めたプレアクティブモードの切換え完了に要する時間に基づくプレアクティブモードへの切換えが完了する時刻の予測値である予測完了時刻（第２の時刻）が第１所定回数目のエッジパルスの予測検出時刻（第１の時刻）近傍の任意の時刻になるように、電子機器４００に消費させる電力を調整する。
【０１３０】
ユーザの音波の発生動作は習慣的な動作となることが多い。したがって、開始信号の受信をトリガとして電力調整部４２０が、かかる検出時間履歴に基づいて、電子機器４００に消費させる電力を調整し、プレアクティブモードへの切換えを完了することで、アクティブモードへの切換開始とプレアクティブモードへの切換完了とを近づけることができる。したがって、プレアクティブモードを維持している時間を削減し、消費電力の総合的な低減を図ることが可能となる。
【０１３１】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０１３２】
なお、本明細書の制御方法における各工程は、必ずしもフローチャートとして記載された順序に沿って時系列に処理する必要はなく、並列的あるいはサブルーチンによる処理を含んでもよい。
【産業上の利用可能性】
【０１３３】
本発明は、音波を用いて制御される電子機器およびその制御方法に利用することができる。
【符号の説明】
【０１３４】
１００、３００、４００  …電子機器
１１０、３１０、４１０  …中央制御部（制御部）
１１２、４１２  …装置メモリ
１１４  …番組受信部
１１６  …表示部
１１８  …Ｄ／Ａコンバータ
１２０  …出力アンプ
１２２  …音声出力部
１２４  …収音部
１２６  …入力アンプ
１２８  …Ａ／Ｄコンバータ
１５０  …表示制御部
１５２  …音声制御部
１５４  …入力音信号処理部
１５６、３５６  …モード切換制御部
１６０  …オフセット成分除去部
１６２  …絶対値化回路
１６４  …所定音判定部
１６６  …エッジ信号抽出部
１６８  …エッジパルス生成部
３２０、４２０  …電力調整部
【図１】
0005593657.tif 000002
【図２】
0005593657.tif 000003
【図３】
0005593657.tif 000004
【図４】
0005593657.tif 000005
【図５】
0005593657.tif 000006
【図６】
0005593657.tif 000007
【図７】
0005593657.tif 000008
【図８】
0005593657.tif 000009
【図９】
0005593657.tif 000010
【図１０】
0005593657.tif 000011
【図１１】
0005593657.tif 000012
【図１２】
0005593657.tif 000013
【図１３】
0005593657.tif 000014